(57)【特許請求の範囲】
【請求項１】
一面にスライド溝が設けられ、その上端に開口が設けられ、その下端が台座に成形され、その内部に規制条が設けられ、前記規制条の表面に規制穴が複数設けられ、前記台座にカバー板が設けられ、前記カバー板に長穴が設けられる外嵌めレールと、
前記外嵌めレール内に二つの側面が前記スライド溝にて摺動可能に設けられ、しかも前記カバー板に嵌め設けられ、その内部にガス圧シリンダーが収容され、前記ガス圧シリンダーは、一端が前記台座に固定され、他端がその内部に締結されるレールと、
締結具により前記レールの下側に締結され、前記締結具と前記規制条の前記規制穴とにハンドルが挿通されている物置テーブルと、
前記外嵌めレールに締結される支持ユニットと、
を含むことを特徴とする昇降テーブル。
【請求項２】
前記物置テーブルは、第１卓板と、第２卓板と、を有し、前記第２卓板は前記第１卓板に摺動可能に設けられることを特徴とする、請求項１に記載の昇降テーブル。
【請求項３】
前記レールの上側には、更に、組付枠が設けられ、前記組付枠は、横関節と、縦関節と、を有し、これにより、前記組付枠は前記レールに対して回動自在であることを特徴とする、請求項１に記載の昇降テーブル。
【請求項４】
前記支持ユニットは二つの支え脚であり、二つの前記支え脚間にあるエリアが仕切られ、且つ前記物置テーブル、前記外嵌めレール及び前記レールの底部への投影は、前記支持ユニットで取り囲む区域内に位置することを特徴とする、請求項１に記載の昇降テーブル。
【請求項５】
前記支持ユニットは支持板であり、前記支持板の一端が前記外嵌めレールに固定されることを特徴とする、請求項１に記載の昇降テーブル。
【請求項６】
前記支持ユニットは、更に、固定部と、ロック具と、を含み、前記固定部は、前記外嵌めレールの底部に位置し、前記外嵌めレールに固定され、前記ロック具は、一端がツマミ部であり、他端が押付部であり、螺旋部により前記ツマミ部と前記押付部が連接され、前記螺旋部が前記固定部に螺着され、前記押付部が前記台座に押付けることを特徴とする、請求項１に記載の昇降テーブル。
【発明の詳細な説明】
【技術分野】
【０００１】
本発明は、昇降テーブルに関し、特に、ガス圧シリンダーにより卓面を昇降させ可能であり、ユーザが卓面の高さを迅速で便利に調整できる昇降テーブルに関するものである。
【背景技術】
【０００２】
異なる身長を有するユーザが快適な座り姿勢、又は良い視線で作業を行うことができるようにするために、昇降椅子（例えば事務所にある事務椅子、レストランにある椅子や理髪店にある椅子など）がよく見られる。しかし、これらの椅子の高さを調整できるが、テーブルはこれに応じて昇降できないため、利用が極めて不便である。
【０００３】
このため、昇降可能なテーブルが開発されて市販している。しかし、市販している昇降テーブルは、螺子により固定するという方式を採用するものが多く、すなわち、昇降用の支持柱が複数の規制穴のうちの一つに固定される。このように、卓面の毎回の昇降はロック具を緩めたり締めたりすることが必要であるため、利用が極めて不便である。
【先行技術文献】
【特許文献】
【０００４】
【特許文献１】なし
【発明の概要】
【発明が解決しようとする課題】
【０００５】
そこで、本発明の主な目的は、ユーザが卓面の高さを迅速で便利に調整できる昇降テーブルを提供することにある。
【課題を解決するための手段】
【０００６】
本発明の昇降テーブルによると、一面にスライド溝が設けられ、その上端に開口が設けられ、その下端が台座に成形され、その内部に規制条が設けられ、前記規制条の表面に規制穴が複数設けられ、前記台座にカバー板が設けられ、前記カバー板に長穴が設けられる外嵌めレールと、前記外嵌めレール内に二つの側面が前記スライド溝にて摺動可能に設けられ、しかも前記カバー板に嵌め設けられ、その内部にガス圧シリンダーが収容され、前記ガス圧シリンダーは、一端が前記台座に固定され、他端がその内部に締結されるレールと、締結具により前記レールの下側に締結され、前記締結具と前記規制条の前記規制穴とにハンドルが挿通されている物置テーブルと、前記外嵌めレールに締結される支持ユニットと、を含むことを特徴とする。
【０００７】
本発明の昇降テーブルによると、物置テーブルは、第１卓板と、第２卓板と、を有し、第２卓板は第１卓板に摺動可能に設けられることを特徴とする。
【０００８】
本発明の昇降テーブルによると、レールの上側には、更に、組付枠が設けられ、組付枠は、横関節と、縦関節と、を有し、これにより、組付枠はレールに対して回動自在であることを特徴とする。
【０００９】
本発明の昇降テーブルによると、前記支持ユニットは二つの支え脚であり、二つの前記支え脚間にあるエリアが仕切られ、且つ前記物置テーブル、前記外嵌めレール及び前記レールの底部への投影は、前記支持ユニットで取り囲む区域内に位置することを特徴とする。
【００１０】
本発明の昇降テーブルによると、支持ユニットは支持板であり、支持板の一端が外嵌めレールに固定されることを特徴とする。
【００１１】
本発明の昇降テーブルによると、支持ユニットは、更に、固定部と、ロック具と、を含み、固定部は、外嵌めレールの底部に位置し、外嵌めレールに固定され、ロック具は、一端がツマミ部であり、他端が押付部であり、螺旋部によりツマミ部と押付部が連接され、螺旋部が固定部に螺着され、押付部が台座に押付けることを特徴とする。
【発明の効果】
【００１２】
本発明の昇降テーブルによれば、ガス圧シリンダーにより卓面を昇降させ可能であり、ユーザが卓面の高さを迅速で便利に調整できるという効果を有する。
【図面の簡単な説明】
【００１３】
【図１】本発明の実施例１を示す分解斜視図である。
【図２】本発明の実施例１の使用状態を示す模式図である。
【図３】本発明の実施例１の使用状態を示す模式図である。
【図４】本発明の実施例１を示す断面図である。
【図５】本発明の実施例１を示す断面図である。
【図６】本発明の実施例１を示す断面図である。
【図７】本発明の実施例２を示す側面図である。
【図８】本発明の実施例３を示す側面図である。
【発明を実施するための形態】
【００１４】
以下、本発明の実施の形態を図面に基づいて説明する。
【実施例１】
【００１５】
本発明の実施例１の昇降テーブルは、図１乃至図６に示すように、外嵌めレール２０と、レール３０と、物置テーブル４０と、支持ユニット５０と、を含む。
【００１６】
外嵌めレール２０は、その上端に開口２１が設けられ、前面２２と、後面２４と、を有する。前面２２にスライド溝２２１が設けられる。外嵌めレール２０の下端は台座２３に成形される。台座２３にねじ穴台２３１が成形される。外嵌めレール２０の内部に規制条２７が設けられる。規制条２７の下側にあるリブ部２７１は、外嵌めレール２０の後面２４に固定される。規制条２７は長穴２６１の後方に位置する。規制条２７の表面に規制穴２７１が複数設けられる。台座２３にカバー板２６が設けられ、カバー板２６に長穴２６１が設けられる。
【００１７】
レール３０の上側に組付枠３２が設けられる。組付枠３２は、横関節３２１と、縦関節３２２と、を有する。これにより、組付枠３２はレール３０に対して回動自在である。レール３０は、二つの側面３３が外嵌めレール２０内に摺動可能に設けられ、しかも前記カバー板２６に嵌め設けられる。レール３０の内部にガス圧シリンダー３４が収容される。ガス圧シリンダー３４は、棒３４１と、スリーブ３４２と、を有する。ガス圧シリンダー３４は、棒３４１の一端が台座２３のねじ穴台２３１に固定される。スリーブ３４２の一端がレール３０の内部の上側に固定される。外嵌めレール２０とレール３０とから、本発明の昇降装置２が構成される。
【００１８】
物置テーブル４０は、締結具４５によりレール３０の下側に固定され、第１卓板４１と、第２卓板４２と、を有し、第２卓板４２は第１卓板４１に摺動可能に設けられる。物置テーブル４０はハンドル４４を有する。ハンドル４４は、握り部４４１に挿入部４４２が固定される。挿入部４４２は、物置テーブル４０の締結具４５と、カバー板２６の長穴２６１と、規制条２７の規制穴２７２と、を挿通する。
【００１９】
支持ユニット５０は、二つの支え脚５１であり、外嵌めレール２０に固定される。支え脚５１は二つの屈折部５１１を有する。二つの屈折部５１１により、支え脚５１は二つの屈折を有する。支え脚５１は、物置テーブル４０の平面に平行し、昇降装置２から離れる方向に延びる。本発明は、物置テーブル４０の底部への投影が二つの支え脚５１から仕切られたエリア内に位置する。
【００２０】
図２及び図３を参照する。本実施例の昇降テーブルによれば、物置テーブル４０に品物を置くことができる他、例えばディスプレイ６０を組付枠３２に組付けて、組付枠３２の横関節３２１及び縦関節３２２により、組付枠３２に組付けられる品物がレール３０に対して回動自在である。このように、ユーザは、組付枠３２に組付けられる品物の角度を任意に調整できる。一方、第２卓板４２が第１卓板４１に摺動可能に設けられるため、第２卓板４２は第１卓板４１から、昇降装置２から離れる方向に引き出されることができる。これにより、ユーザは、もっと多くの品物を置くことができ、第２卓板４２を利用したくない場合に、第２卓板４２を収納することにより、省スペースすることができる。
【００２１】
図３に示すように、本発明の支持ユニット５０は、二つの支え脚５１から構成され、外嵌めレール２０に固定され、外嵌めレール２０から二つの屈折部５１１で屈折された後、物置テーブル４０へ延びる。このように、支持ユニット５０は、構成が簡単であり、物置テーブル４０、外嵌めレール２０及びレール３０の底部への投影は、支持ユニット５０で取り囲む区域内に位置する。このため、品物を置いた後の重心が何処に位置しても、本実施例の昇降テーブルは、安定に立つことができ、倒れることが発生しない。
【００２２】
図４乃至図６を参照しながら、本実施例の昇降テーブルの作動方式を説明する。本実施例のハンドル４４は、物置テーブル４０、カバー板２６の長穴２６１及び規制条２７の規制穴２７２を挿通し、ハンドル４４と規制穴２７２の合せにより、物置テーブル４０を目標位置に固定できる。すなわち、物置テーブル４０を上昇したい場合には、ハンドル４４が規制穴２７２を挿通しないように、外嵌めレール２０及びレール３０から離れる方向にハンドル４４を引き出すと、ガス圧シリンダー３４のスリーブ３４２により、レール３０及び物置テーブル４０が駆動されて上昇する。なお、物置テーブル４０を降下したい場合には、ハンドル４４が規制穴２７２を挿通しないように、外嵌めレール２０及びレール３０から離れる方向にハンドル４４を引き出して、物置テーブル４０を下方に押えると、物置テーブル４０を降下することができる。本実施例の昇降テーブルによれば、ユーザは卓面の高さを迅速で便利に調整できる。
【実施例２】
【００２３】
図７を参照する。支持ユニット５０Ａは支持板５１５Ａであり、支持板５１５Ａの一端が外嵌めレール２０に固定される。外嵌めレール２０と物置テーブル４０との底部への投影は支持板５１５Ａに位置する。このように、本実施例の昇降テーブルによれば、安定性が更に増加し、物置テーブル４０を上昇すると、支持板５１５Ａに品物を置くこともできる。
【実施例３】
【００２４】
本発明の利用できる場所を更に多くするために、図８に示すように、支持ユニット５０Ｂが設計された。支持ユニット５０Ｂは、更に、固定部５３Ｂと、ロック具５４Ｂと、を含む。固定部５３Ｂは、外嵌めレール２０の底部に位置し、後面２４に沿って折り曲げた後、外嵌めレール２０に固定される。ロック具５４Ｂは、一端がツマミ部５４１Ｂであり、他端が押付部５４２Ｂであり、螺旋部５４３Ｂによりツマミ部５４１Ｂと押付部５４２Ｂが連接される。螺旋部５４３Ｂは固定部５３Ｂに螺着される。押付部５４２Ｂは台座２３に押付ける。ツマミ部５４１Ｂを回転することにより、押付部５４２Ｂと台座２３の間に挟み空間５５Ｂを形成できる。このように、本発明の昇降テーブルは、平面に置くことができる他、平面又は柱６１を挟んで利用することもでき、機動性及び利便性が極めて高い。
【産業上の利用可能性】
【００２５】
本発明は、昇降テーブルに適用することができる。
【符号の説明】
【００２６】
２：昇降装置
２０：外嵌めレール
２１：開口
２２：前面
２３：台座
２４：後面
２６：カバー板
２７：規制条
３０：レール
３２：組付枠
３３：側面
３４：ガス圧シリンダー
４０：物置テーブル
４１：第１卓板
４２：第２卓板
４４：ハンドル
４５：締結具
５０、５０Ａ、５０Ｂ：支持ユニット
５１：支え脚
６０：ディスプレイ
６１：柱
２２１：スライド溝
２３１：ねじ穴台
２６１：長穴
２７１：リブ部
２７２：規制穴
３２１：横関節
３２２：縦関節
３４１：棒
３４２：スリーブ
４４１：握り部
４４２：挿入部
５１１：屈折部
５３Ｂ：固定部
５４Ｂ：ロック具
５５Ｂ：挟み空間
５１５Ａ：支持板
５４１Ｂ：ツマミ部
５４２Ｂ：押付部
５４３Ｂ：螺旋部
【図１】
0005622329.tif 000002
【図２】
0005622329.tif 000003
【図３】
0005622329.tif 000004
【図４】
0005622329.tif 000005
【図５】
0005622329.tif 000006
【図６】
0005622329.tif 000007
【図７】
0005622329.tif 000008
【図８】
0005622329.tif 000009